(57)【要約】【課題】操作ボタンによる操作とタッチパネルによる操作との併存時におけるインタフェースの改善技術を提供する。【解決手段】操作ボタン２２は、キー入力によって電子機器１０の操作をする。タッチパネル５０は、電子機器１０の表示領域であるとともに、タッチ操作によって電子機器１０の操作をする。表示制御部１００は、操作ボタン２２またはタッチパネル５０による操作の少なくともいずれか一方の操作を契機として、表示デバイス上に電子機器１０の操作に関する少なくともひとつの選択肢を含むメニューを表示する。ここで表示制御部１００は、操作ボタン２２による操作を契機として表示するメニューとタッチパネル５０による操作を契機として表示するメニューとを、少なくともひとつの共通する選択肢を含めて表示し、かつ、互いに異なるレイアウトで当該共通する選択肢を配置して表示する。【選択図】図４
2014115845.tif 000002
【特許請求の範囲】
【請求項１】
電子機器であって、
キー入力によって前記電子機器の操作をする操作ボタンと、
タッチ操作によって前記電子機器の操作をするタッチパネルと、
前記操作ボタンまたは前記タッチパネルによる操作の少なくともいずれか一方の操作を契機として、表示デバイスに前記電子機器の操作に関する少なくともひとつの選択肢を含むメニューを表示する表示制御部とを備え、
前記表示制御部は、
前記操作ボタンによる操作を契機として表示するメニューと前記タッチパネルによる操作を契機として表示するメニューとを、少なくともひとつの共通する選択肢を含めて表示し、かつ、互いに異なるレイアウトで当該共通する選択肢を配置して表示することを特徴とする電子機器。
【請求項２】
前記表示制御部は、
前記操作ボタンによる操作を契機として前記メニューを表示するボタン操作管理部と、
前記タッチパネルによる操作を契機として前記メニューを表示するタッチ操作管理部とを備えることを特徴とする請求項１に記載の電子機器。
【請求項３】
前記ボタン操作管理部は、前記操作ボタンによるキー入力を契機として、前記表示デバイス上に表示する選択肢の配置を変更することを特徴とする請求項２に記載の電子機器。
【請求項４】
前記タッチ操作管理部は、選択可能な一以上の選択肢を前記表示デバイス上に分散して表示することを特徴とする請求項２または３に記載の電子機器。
【請求項５】
前記タッチ操作管理部は、前記タッチパネル上において前記操作ボタンを対応づけた所定の位置のタッチ操作があった場合、対応する操作ボタンを示すアイコンを前記表示デバイス上に表示することを特徴とする請求項２から４のいずれかに記載の電子機器。
【請求項６】
前記選択肢に関連づけられた前記電子機器の操作を実行する操作処理部をさらに含み、
前記タッチ操作管理部は、前記操作ボタンによる操作を契機として前記ボタン操作管理部が表示した選択肢のタッチ操作があった場合、当該選択肢に関連づけられた前記電子機器の操作を前記操作処理部に実行させることを特徴とする請求項２から５のいずれかに記載の電子機器。
【請求項７】
電子機器のプロセッサに実行させるメニュー表示方法であって、
キー入力によって前記電子機器の操作をする操作ボタンの操作を契機として、表示デバイス上に前記電子機器の操作に関する少なくともひとつの選択肢を含むメニューを表示するステップと、
タッチ操作によって前記電子機器の操作をするタッチパネルによる操作を契機として、前記表示デバイス上に前記電子機器の操作に関する少なくともひとつの選択肢を含むメニューを表示するステップとを含み、
前記操作ボタンの操作を契機として表示されるメニューと前記タッチ操作を契機として表示されるメニューとは少なくともひとつの共通する選択肢を含み、かつ、互いに異なるレイアウトで当該共通する選択肢が配置されることを特徴とするメニュー表示方法。
【請求項８】
電子機器にメニュー表示機能を実現させるプログラムであって、当該機能は、
キー入力によって前記電子機器の操作をする操作ボタンの操作を契機として、表示デバイス上に前記電子機器の操作に関する少なくともひとつの選択肢を含むメニューを表示する機能と、
タッチ操作によって前記電子機器の操作をするタッチパネルによる操作を契機として、前記表示デバイス上に前記電子機器の操作に関する少なくともひとつの選択肢を含むメニューを表示する機能とを含み、
前記操作ボタンの操作を契機として表示されるメニューと前記タッチ操作を契機として表示されるメニューとは少なくともひとつの共通する選択肢を含み、かつ、互いに異なるレイアウトで当該共通する選択肢が配置されることを特徴とするプログラム。
【請求項９】
請求項８に記載のプログラムを格納したコンピュータ読み出し可能な記録媒体。
【請求項１０】
電子機器であって、
キー入力によって前記電子機器の操作をする操作ボタンと、
タッチ操作によって前記電子機器の操作をするタッチパネルと、
前記タッチパネルにおけるタッチ操作の継続時間がタップ操作かプレス操作かを決定するために定められたタップ受付時間よりも短い時間の操作に応答するタップ受付アイコンと、タッチ操作の継続時間が前記タップ受付時間以上の時間の操作に応答するプレス受付アイコンとを、少なくともアイコンの一部を重ねて表示デバイスに表示する表示制御部とを備えることを特徴とする電子機器。
【発明の詳細な説明】
【技術分野】
【０００１】
本発明は、電子機器およびメニュー表示方法に関する。
【背景技術】
【０００２】
携帯型のゲーム機やＰＤＡ（Personal Digital Assistant）等の電子機器が普及している。多くの電子機器が通信機能を搭載し、またスマートフォンのように、携帯電話やＰＤＡ等の機能を一つにまとめた多機能型の電子機器も登場している。このような電子機器の中には、従来の操作ボタンの入力による操作に加え、ユーザにタッチパネルのタッチ操作を行わせるユーザインタフェースを提供するものも存在する。
【０００３】
タッチパネルのタッチ操作をする場合、ユーザは、例えばサムネイル表示されたコンテンツ画像を指でタップすることで、そのコンテンツ画像がパネル全面に表示されるユーザインタフェースや、パネル表面を指でなぞることで、表示画像をスクロールするユーザインタフェースなどが一般的である。また近年では、同時にタッチされた複数ポイントの検出機能をもつマルチタッチスクリーンを備えた電子機器も登場し、ユーザのピンチ操作による電子機器の操作を実現するためのユーザインタフェースも実用化されている。
【発明の概要】
【発明が解決しようとする課題】
【０００４】
操作ボタンとタッチパネルとの両方のユーザインタフェースを含む電子機器において、いずれのユーザインタフェースを用いても電子機器の操作が実行できると便利である。一方で、操作ボタンとタッチパネルとは異なるユーザインタフェースである。このため、ユーザが電子機器を操作ボタンの入力で操作する場合と、タッチパネルの入力で操作する場合とでは、ユーザが感じる操作感覚が異なり、場合によってはユーザに違和感を与えかねない。
【０００５】
そこで本発明は、操作ボタンによる操作とタッチパネルによる操作との併存時におけるユーザインタフェースの改善技術を提供することを目的とする。
【課題を解決するための手段】
【０００６】
上記課題を解決するために、本発明のある態様の電子機器は、キー入力によって前記電子機器の操作をする操作ボタンと、タッチ操作によって前記電子機器の操作をするタッチパネルと、前記操作ボタンまたは前記タッチパネルによる操作の少なくともいずれか一方の操作を契機として、表示デバイス上に前記電子機器の操作に関する少なくともひとつの選択肢を含むメニューを表示する表示制御部とを備える。ここで前記表示制御部は、前記操作ボタンによる操作を契機として表示するメニューと前記タッチパネルによる操作を契機として表示するメニューとを、少なくともひとつの共通する選択肢を含めて表示し、かつ、互いに異なるレイアウトで当該共通する選択肢を配置して表示する。
【０００７】
本発明の別の態様は、電子機器のプロセッサに実行させるメニュー表示方法である。この方法は、キー入力によって前記電子機器の操作をする操作ボタンの操作を契機として、表示デバイス上に前記電子機器の操作に関する少なくともひとつの選択肢を含むメニューを表示するステップと、タッチ操作によって前記電子機器の操作をするタッチパネルによる操作を契機として、前記表示デバイス上に前記電子機器の操作に関する少なくともひとつの選択肢を含むメニューを表示するステップとを含む。前記操作ボタンの操作を契機として表示されるメニューと前記タッチ操作を契機として表示されるメニューとは少なくともひとつの共通する選択肢を含み、かつ、互いに異なるレイアウトで当該共通する選択肢が配置される。
【０００８】
本発明のさらに別の態様も、電子機器である。この電子機器は、キー入力によって前記電子機器の操作をする操作ボタンと、タッチ操作によって前記電子機器の操作をするタッチパネルと、前記タッチパネルにおけるタッチ操作の継続時間がタップ操作かプレス操作かを決定するために定められたタップ受付時間よりも短い時間の操作に応答するタップ受付アイコンと、タッチ操作の継続時間が前記タップ受付時間以上の時間の操作に応答するプレス受付アイコンとを、少なくともアイコンの一部を重ねて表示デバイスに表示する表示制御部とを備える。
【０００９】
なお、以上の構成要素の任意の組み合わせ、本発明の表現を方法、装置、システム、記録媒体、コンピュータプログラムなどの間で変換したものもまた、本発明の態様として有効である。
【発明の効果】
【００１０】
本発明によると、操作ボタンとタッチパネルとの両方で操作可能な電子機器における好適なユーザインタフェースを提供できる。
【図面の簡単な説明】
【００１１】
【図１】図１（ａ）は電子機器の前面を示す図であり、（図１ｂ）は電子機器の背面を示す図である。
【図２】図２（ａ）は電子機器の上面を示す図であり、図２（ｂ）は電子機器の下面を示す図であり、図２（ｃ）は電子機器の左側面を示す図である。
【図３】電子機器の回路構成を示す図である。
【図４】電子機器の機能ブロックを示す図である。
【図５】図５（ａ）−（ｃ）は、実施の形態に係る表示制御部が表示した番組表の一例を示す図である。
【図６】実施の形態に係る電子機器で実行される画像表示制御処理の流れを示すフローチャートである。
【図７】実施の形態に係る表示制御部が表示した録画番組のリストの一例を示す図である。
【図８】実施の形態に係るボタン操作管理部が表示した操作メニューの一例を示す図である。
【図９】実施の形態に係るタッチ操作管理部が表示した操作メニューの一例を示す図である。
【図１０】実施の形態に係る電子機器で実行されるメニュー表示処理の流れを示すフローチャートである。
【図１１】実施の形態に係るボタン操作管理部で実行されるメニュー表示処理の流れを示すフローチャートである。
【図１２】実施の形態に係るタッチ操作管理部で実行されるメニュー表示処理の流れを示すフローチャートである。
【図１３】実施の形態に係る電子機器が表示するグラフィカルユーザインタフェースの一例を示す図である。
【図１４】実施の形態に係る電子機器が表示するグラフィカルユーザインタフェースの別の例を示す図である。
【発明を実施するための形態】
【００１２】
本発明の実施の形態に係る電子機器は、ユーザが電子機器を操作するためのユーザインタフェースとして、操作ボタンとタッチパネルとを有する情報端末装置であり、たとえば電子機器は携帯型のゲーム機やスマートフォンである。電子機器の電源投入時には電子機器を統括的に制御するオペレーティングソフトウェアが実行され、ゲームや画像処理、テレビチューナを備えたＮＡＳ（Network Attached Storage）のクライアントアプリケーション等、種々のアプリケーションプログラムを実行することができる。
【００１３】
以下、本発明の実施の形態に係る電子機器の外観構成および回路構成を説明する。以下に示す電子機器は、携帯型のゲーム機であるが、他の種類の携帯型端末装置であってもよく、また据置型の端末装置やそのコントローラであってもよい。
【００１４】
［前面部の構成］
図１（ａ）は、電子機器１０の前面を示す。電子機器１０は、横長の筐体により形成され、ユーザが把持する左右の領域は、円弧状の外郭を有している。電子機器１０の前面には、矩形のタッチパネル５０が設けられる。タッチパネル５０は、表示装置２０と、表示装置２０の表面を覆う透明な前面タッチパッド２１から構成される。表示装置２０は有機ＥＬ（Electro-Liminescence）パネルであり、１６：９の画面アスペクト比を有して画像を表示する。なお表示装置２０は液晶パネルなどの表示手段であってもよい。前面タッチパッド２１は、同時にタッチされた複数ポイントの検出機能をもつマルチタッチパッドであって、タッチパネル５０はマルチタッチスクリーンとして構成される。
【００１５】
タッチパネル５０の右側には、菱形の頂点にそれぞれ位置する△ボタン２２ａ、○ボタン２２ｂ、×ボタン２２ｃ、□ボタン２２ｄ（以下、総称する場合には「操作ボタン２２」とよぶ）が設けられ、タッチパネル５０の左側には、上キー２３ａ、左キー２３ｂ、下キー２３ｃ、右キー２３ｄ（以下、総称する場合には「方向キー２３」とよぶ）が設けられる。ユーザは方向キー２３を操作して、上下左右および斜方の８方向を入力できる。方向キー２３の下側には左スティック２４ａが設けられ、また操作ボタン２２の下側には右スティック２４ｂが設けられる。ユーザは左スティック２４ａまたは右スティック２４ｂ（以下、総称する場合には「アナログスティック２４」とよぶ）を傾動して、方向および傾動量を入力する。筐体の左右頂部には、Ｌボタン２６ａ、Ｒボタン２６ｂが設けられる。操作ボタン２２、方向キー２３、アナログスティック２４、Ｌボタン２６ａ、Ｒボタン２６ｂは、ユーザが操作する操作手段を構成する。
【００１６】
操作ボタン２２の近傍に、前面カメラ３０が設けられる。左スティック２４ａの左側および右スティック２４ｂの右側には、それぞれ音声を出力する左スピーカ２５ａおよび右スピーカ２５ｂ（以下、総称する場合には「スピーカ２５」とよぶ）が設けられる。また左スティック２４ａの下側にＨＯＭＥボタン２７が設けられ、右スティック２４ｂの下側にＳＴＡＲＴボタン２８およびＳＥＬＥＣＴボタン２９が設けられる。
【００１７】
［背面部の構成］
図１（ｂ）は、電子機器１０の背面を示す。電子機器１０の背面には、背面カメラ３１および背面タッチパッド３２が設けられる。背面タッチパッド３２は、前面タッチパッド２１と同様に、マルチタッチパッドとして構成される。電子機器１０は、前面および背面において、２つのカメラおよびタッチパッドを搭載している。
【００１８】
［上面部の構成］
図２（ａ）は、電子機器１０の上面を示す。既述したように、電子機器１０の上面の左右端側に、Ｌボタン２６ａ、Ｒボタン２６ｂがそれぞれ設けられる。Ｌボタン２６ａの右側には電源ボタン３３が設けられ、ユーザは、電源ボタン３３を押下することで、電源をオンまたはオフする。なお電子機器１０は、操作手段が操作されない時間（無操作時間）が所定時間続くと、サスペンド状態に遷移する電力制御機能を有している。電子機器１０がサスペンド状態に入ると、ユーザは電源ボタン３３を押下することで、電子機器１０をサスペンド状態からアウェイク状態に復帰させることができる。
【００１９】
ゲームカードスロット３４は、ゲームカードを差し込むための差込口であり、この図では、ゲームカードスロット３４がスロットカバーにより覆われている状態が示される。なおゲームカードスロット３４の近傍に、ゲームカードがアクセスされているときに点滅するＬＥＤランプが設けられてもよい。アクセサリ端子３５は、周辺機器（アクセサリ）を接続するための端子であり、この図ではアクセサリ端子３５が端子カバーにより覆われている状態が示される。アクセサリ端子３５とＲボタン２６ｂの間には、ボリュームを調整するための−ボタン３６ａと＋ボタン３６ｂが設けられている。
【００２０】
［下面部の構成］
図２（ｂ）は、電子機器１０の下面を示す。メモリカードスロット３７は、メモリカードを差し込むための差込口であり、この図では、メモリカードスロット３７が、スロットカバーにより覆われている状態が示される。電子機器１０の下面において、音声入出力端子３８、マイク３９およびマルチユース端子４０が設けられる。マルチユース端子４０はＵＳＢ（Universal Serial Bus）に対応し、ＵＳＢケーブルを介して他の機器と接続できる。
【００２１】
［左側面部の構成］
図２（ｃ）は、電子機器１０の左側面を示す。電子機器１０の左側面には、ＳＩＭカードの差込口であるＳＩＭカードスロット４１が設けられる。
【００２２】
［電子機器の回路構成］
図３は、電子機器１０の回路構成を示す。各構成はバス９２によって互いに接続されている。無線通信モジュール７１はＩＥＥＥ８０２．１１ｂ／ｇ等の通信規格に準拠した無線ＬＡＮモジュールによって構成され、ＡＰ２を介して、外部ネットワークに接続する。なお無線通信モジュール７１は、ブルートゥース（登録商標）プロトコルの通信機能を有してもよい。携帯電話モジュール７２は、ＩＴＵ（International Telecommunication Union；国際電気通信連合）によって定められたＩＭＴ−２０００（International Mobile Telecommunication 2000）規格に準拠した第３世代（3rd Generation）デジタル携帯電話方式に対応し、携帯電話網４に接続する。ＳＩＭカードスロット４１には、携帯電話の電話番号を特定するための固有のＩＤ番号が記録されたＳＩＭカード７４が挿入される。ＳＩＭカード７４がＳＩＭカードスロット４１に挿入されることで、携帯電話モジュール７２は、携帯電話網４との間で通信可能となる。
【００２３】
ＣＰＵ（Central Processing Unit）６０は、メインメモリ６４にロードされたプログラムなどを実行する。ＧＰＵ（Graphics Processing Unit）６２は、画像処理に必要な計算を実行する。メインメモリ６４は、ＲＡＭ（Random Access Memory）などにより構成され、ＣＰＵ６０が使用するプログラムやデータなどを記憶する。ストレージ６６は、ＮＡＮＤ型フラッシュメモリ（NAND-type flash memory）などにより構成され、内蔵型の補助記憶装置として利用される。表示装置２０は、ＣＰＵ６０などにより生成された画像を出力する。
【００２４】
モーションセンサ６７は、電子機器１０の動きを検出し、地磁気センサ６８は、３軸方向の地磁気を検出する。ＧＰＳ制御部６９は、ＧＰＳ衛星からの信号を受信し、現在位置を算出する。前面カメラ３０および背面カメラ３１は、画像を撮像し、画像データを入力する。前面カメラ３０および背面カメラ３１は、ＣＭＯＳイメージセンサ（Complementary Metal Oxide Semiconductor Image Sensor）によって構成される。
【００２５】
インタフェース９０において、操作部７０は、電子機器１０における各種操作手段を含み、具体的には、操作ボタン２２、方向キー２３、アナログスティック２４、Ｌボタン２６ａ、Ｒボタン２６ｂ、ＨＯＭＥボタン２７、ＳＴＡＲＴボタン２８、ＳＥＬＥＣＴボタン２９、電源ボタン３３、−ボタン３６ａ、＋ボタン３６ｂを含む。前面タッチパッド２１および背面タッチパッド３２は、マルチタッチパッドであり、前面タッチパッド２１は、表示装置２０の表面に重ね合わせて配置される。スピーカ２５は、電子機器１０の各機能により生成される音声を出力し、マイク３９は、電子機器１０の周辺の音声を入力する。音声入出力端子３８は、外部のマイクからステレオ音声を入力し、外部のヘッドホンなどへステレオ音声を出力する。
【００２６】
ゲームカードスロット３４には、ゲームファイルを記録したゲームカード７６が差し込まれる。ゲームカード７６は、データの書込可能な記録領域を有しており、ゲームカードスロット３４に装着されると、メディアドライブにより、データの書込／読出が行われる。メモリカードスロット３７には、メモリカード７８が差し込まれる。メモリカード７８は、メモリカードスロット３７に装着されると、外付け型の補助記憶装置として利用される。マルチユース端子４０は、ＵＳＢ端子として利用でき、ＵＳＢケーブル８０を接続されて、他のＵＳＢ機器とデータの送受信を行う。アクセサリ端子３５には、周辺機器が接続される。
【００２７】
［ボタン操作とタッチ操作との融合］
図４は、本発明の実施の形態に係る電子機器１０の機能ブロックを示す。電子機器１０は、インタフェース９０、表示制御部１００、処理部１１０、および出力部１２０を備える。これらの構成は、ハードウエアコンポーネントでいえば、任意のコンピュータのＣＰＵ、メモリ、メモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００２８】
上述したとおり、インタフェース９０は操作ボタン２２やタッチパネル５０を含む。なお、図４においてはキー入力による電子機器１０の操作をするためのインタフェースとして操作ボタン２２のみを図示するが、キー入力操作は操作ボタン２２に限られず、方向キー２３、アナログスティック２４、Ｌボタン２６ａ、Ｒボタン２６ｂ、ＨＯＭＥボタン２７、ＳＴＡＲＴボタン２８、ＳＥＬＥＣＴボタン２９、電源ボタン３３、−ボタン３６ａ、＋ボタン３６ｂであってもよい。以下は本明細書においては、キー入力操作のインタフェースの一例として、多くの場合操作ボタン２２を例に説明するが、他のボタンによるキー入力であってもよい。
【００２９】
上述したように、タッチパネル５０は表示装置２０と表示装置２０の表面を覆う透明な前面タッチパッド２１から構成される。このためタッチパネル５０は、電子機器１０の実行画面の表示領域であるとともに、タッチ操作によって電子機器１０の操作をするためのインタフェースとなる。ここで「電子機器１０の操作」とは、例えば、電子機器１０を統合的に制御するためのオペレーティングソフトウェアの制御メニューの操作や、電子機器１０が実行するアプリケーションソフトウェアの操作を含む。アプリケーションソフトウェアの操作としては、例えばゲームアプリケーションにおいて操作対象となるキャラクタの操作も含まれる。
【００３０】
このように、電子機器１０は、電子機器１０の操作を実現するためのユーザインタフェースとして、操作ボタン２２のキー入力とタッチパネル５０のタッチ操作との少なくともふたつの異なるインタフェースを持つ。なお上述したように、実施の形態に係る電子機器１０は背面タッチパッド３２が設けられている。以下では、タッチ操作としてタッチパネル５０の操作を主に説明するが、実施の形態に係るタッチ操作には背面タッチパッド３２の操作も含まれる。
【００３１】
表示制御部１００は、操作ボタン２２またはタッチパネル５０による操作の少なくともいずれか一方の操作を契機として、タッチパネル５０上に電子機器１０の操作を実行する。電子機器１０の操作の具体例として、表示制御部１００は、電子機器１０の操作に関する操作メニューを表示する。このため表示制御部１００は、ボタン操作管理部１０２とタッチ操作管理部１０４とを含む。「操作メニュー」としては、例えば上述したオペレーティングソフトウェアの設定メニューや、テレビや録画ビデオを視聴するためのアプリケーションにおける番組表や再生リスト、ゲームアプリケーションにおける選択メニュー等、電子機器１０が実行してタッチパネル５０上において、ユーザが選択自在となるように表示するものであればどのようなものでもよい。
【００３２】
ボタン操作管理部１０２は、操作ボタン２２による操作を契機として、電子機器１０の操作メニュー等を表示する。これに対し、タッチ操作管理部１０４は、タッチパネル５０上にあらかじめ定められた所定の位置と操作ボタン２２とを対応づける。タッチ操作管理部１０４は、タッチパネル５０上の所定の位置のタッチ操作があった場合、その所定の位置に対応づけられた操作ボタン２２の操作に対応するメニューを表示する。
【００３３】
処理部１１０は、操作ボタン２２またはタッチパネル５０による操作の少なくともいずれか一方の操作をもとに、電子機器１０の操作を実行する。このため処理部１１０は、画像処理部１１２と、操作処理部１１４とを含む。
【００３４】
操作処理部１１４は、タッチパネル５０上において選択自在に提示された操作メニューの選択があった場合、その選択に関連づけられた電子機器１０の操作を実行する。例えば操作メニューがテレビや録画ビデオを視聴するためのアプリケーションにおける番組表である場合、タッチパネル５０上にテレビ番組が一覧表示される。
【００３５】
図５（ａ）−（ｃ）は、実施の形態に係る表示制御部１００が表示した番組表の一例を示す図である。より具体的には、図５（ａ）−（ｃ）は、横軸をテレビ局、縦軸を放送時間帯として、各テレビ局の各時間帯における番組を配置した番組表である。ここで図５（ａ）は５つのテレビ局の番組表を表示するレイアウトを図示している。一方、図５（ｂ）は、図５（ａ）が表示する番組表の５つのテレビ局のうち、３局のみが表示されるレイアウトである。図５（ｃ）は、図５（ａ）が表示する番組表から図５（ｂ）が表示する番組表に至る途中のレイアウトを示す。ここで図５（ｂ）が表示するテレビ局の数は、図５（ａ）が表示するテレビ局の数より少ない。このため、図５（ｂ）が表示する番組表は、図５（ａ）が表示すると比較すると、表内の文字や画像等の表示内容が拡大されてタッチパネル５０上に表示される。
【００３６】
図５（ａ）−（ｃ）は、それぞれ５つのテレビ局や３つのテレビ局の番組表等を表示する例であるが、表示するテレビ局の数はこれに限られず、また操作ボタン２２やタッチパネル５０の操作で自由に変更することができる。また、図５（ａ）−（ｃ）は、８時から９時までの２時間分の番組表を示すが、表示する時間帯はこれ以上長くても短くてもよい。ユーザは操作ボタン２２を操作したり、タッチパネルを上下左右にスワイプしたりすることで、表示する時間帯やテレビ局を変更することができる。
【００３７】
ユーザは、タッチパネル５０上に一覧表示された番組の中から所望のテレビ番組を選択する。例えば操作ボタン２２の操作で番組を選択する場合、ユーザは方向キー２３やアナログスティック２４等を操作して図示しないフォーカス領域を移動させる。これは操作ボタン２２の操作の検出を契機として、ボタン操作管理部１０２がフォーカス領域を移動することで実現できる。また「フォーカス領域」とは、操作メニューのどの位置が選択されているかを示すインタフェースであり、例えば番組表において選択されている番組をハイライトすることで実現できる。ユーザはフォーカス領域を所望の番組に移動し、決定を指示する操作ボタン２２を押下することで、番組を選択できる。より具体的には、例えば○ボタン２２ｂが決定を指示するボタンとしてあらかじめ登録されており、ボタン操作管理部１０２が○ボタン２２ｂの押下を取得すると、操作処理部１１４が番組表示の操作を実行する。出力部１２０は、操作処理部１１４の実行結果をタッチパネル５０に出力して表示する。
【００３８】
これに対し、ユーザがタッチパネル５０のタッチ操作で番組を選択する場合、ユーザはタッチパネル５０上に表示された所望の番組をタップする。タッチ操作管理部１０４は、タッチパネル５０上においてユーザがタップした位置を取得する。タッチ操作管理部１０４がタップ位置を取得すると、操作処理部１１４はその位置に表示されている番組の表示の操作を実行する。より具体的には、タッチ操作管理部１０４は、取得した位置に表示されている番組に対して決定を指示するボタンの押下があった場合、ボタン操作管理部１０２が操作処理部１１４に送信する信号と同様の信号を、操作処理部１１４に送信する。
【００３９】
処理部１１０は、表示制御部１００を介してユーザから決定を指示する操作以外の操作も受け付ける。図５（ａ）−（ｃ）に示す番組表を例とすると、決定を指示する操作以外の操作とは、例えば表示するテレビ局の数を変更する操作である。ユーザは、操作ボタン２２またはタッチパネル５０による操作の少なくともいずれか一方の操作をすることで、番組表に表示するテレビ局の数を変更することができる。これを実現するために、処理部１１０中の画像処理部１１２は、離散画面変更部１１６と、連続画面変更部１１８とを含む。以下、電子機器１０の実行画面として図５（ａ）−（ｃ）に例示する番組表を例に説明する。
【００４０】
操作ボタン２２は、ボタンのオンまたはオフを入力とするインタフェースであり、二値の入力を基本とする。そこで離散画面変更部１１６は、操作ボタン２２が受け付けたキー入力毎に、電子機器１０の実行画面である番組表に表示するテレビ局の数を段階的に変更する。より具体的には、実施の形態に係る電子機器１０は、上述したＬボタン２６ａがテレビ局数を減少させる操作に対応づけられており、Ｒボタン２６ｂがテレビ局数を増加させる操作に対応づけられている。
【００４１】
図５（ａ）に示すように５つのテレビ局の番組表が表示されている状態において、ユーザがＬボタン２６ａを押下したとする。離散画面変更部１１６は、ボタン操作管理部１０２からＬボタン２６ａの押下の通知を取得すると、離散画面変更部１１６は、５つのテレビ局の番組表から図５（ｂ）に示す３つのテレビ局の番組表に変更するためにあらかじめ定められた拡大率で番組表を拡大する。このとき、離散画面変更部１１６は、Ｌボタン２６ａの押下と同時に５つのテレビ局の番組表から３つのテレビ局の番組表に切り替えて表示してもよいし、５つのテレビ局の番組表から３つのテレビ局の番組表に至るまで番組表が滑らかに移行するように、拡大率を順次変更しながらアニメーション効果を持たせて番組表を切り替えてもよい。いずれにしても、最終的に変更される番組表において、一度のボタン操作毎にテレビ局の数は段階的に変更される。
【００４２】
同様に、図５（ｂ）に示すように３つのテレビ局の番組表が表示されている状態において、ユーザがＲボタン２６ｂを押下すると、離散画面変更部１１６は、３つのテレビ局の番組表から５つのテレビ局の番組表に変更するためにあらかじめ定められた縮小率で番組表を縮小する。５つのテレビ局の番組表が表示されている状態でユーザがさらにＲボタン２６ｂを押下すると、離散画面変更部１１６は、５つのテレビ局の番組表から７つのテレビ局の番組表（図示せず）に変更するためにあらかじめ定められた縮小率で番組表をさらに縮小する。このように、実施の形態に係る離散画面変更部１１６は、ユーザによるＬボタン２６ａまたはＲボタン２６ｂの押下の度に、番組表に表示するテレビ局の数を３つ、５、７つ、および９つと段階的に変化させる。つまり、離散画面変更部１１６が変更可能な番組表のレイアウトにおけるテレビ局の数は、３つ、５、７つ、または９つのいずれかである。
【００４３】
これに対しユーザはタッチパネル５０をピンチイン操作、ピンチアウト操作をすることでも、番組表のレイアウトを変更できる。ここで「ピンチイン操作」とは、タッチパネル５０上に２本の指を接触させつつ、ものを掴むかのように接触箇所を近づける動作をいう。また「ピンチアウト操作」とは、タッチパネル５０上に２本の指を接触させつつ、接触箇所を遠ざける動作をいう。
【００４４】
ユーザがタッチパネル５０においてピンチアウト操作をしたとする。このとき、連続画面変更部１１８は、タッチパネル５０が受け付けたタッチ操作の入力量に応じて、番組表を拡大する。より具体的には、連続画面変更部１１８は、タッチパネル５０における指と指との間隔の変化率を番組表の拡大率として、タッチ操作の入力量に追従して番組表を拡大する。例えば、ユーザが指と指の間隔が２ｃｍから３ｃｍまで広げると、連続画面変更部１１８は、３ｃｍ／２ｃｍ＝１．５倍の拡大率で番組表を拡大する。同様に、ユーザがタッチパネル５０においてピンチイン操作をすると、連続画面変更部１１８は、指と指との間隔の変化率を番組表の縮小率とし番組表を縮小する。
【００４５】
図５に示す例では、ユーザは図５（ａ）に示す番組表のレイアウトにおいて、タッチパネル５０の下部中央やや左寄りに表示されている番組Ｇに右手の親指を置き、画面上部中央やや右寄りに表示されている番組Ｄに人差し指を置いてピンチアウト操作をした。この結果、番組表のレイアウトは図５（ｂ）に示すレイアウトとなった。すなわち、親指の置かれた番組Ｇが画面下部左端に表示され、人差し指の置かれた番組Ｄが画面上部右端に表示されている。このように、連続画面変更部１１８は、ピンチイン操作またはピンチアウト操作の開始時点における接触位置をもとに、表示画面の拡縮やレイアウトの変更を実行する。また、ユーザがタッチパネル５０上の２カ所に指を接触させ、かつ指と指との間の間隔を変化させずにドラッグした場合、連続画面変更部１１８は、ドラッグの方向に追従して番組表をずらし、表示する時間帯や放送局を変更して表示することもできる。この場合、番組表の拡縮率やレイアウトは変化しない。
【００４６】
ここで、連続画面変更部１１８は、ユーザがタッチ操作を継続している間はタッチ操作の入力量に追従して番組表を拡縮する。一方、ユーザのタッチ操作が終了したとき、すなわちユーザの指がタッチパネル５０から離れたときは、連続画面変更部１１８は、そのときの指と指との間隔よらず、離散画面変更部１１６が段階的に変更可能な画面と一致するまで画面を変更する。つまり、連続画面変更部１１８は、ユーザのタッチ操作が終了したとき、そのときの指と指との間隔から定まる拡縮率をもとに、番組表に表示するテレビ局の数を３つ、５、７つ、または９つの中から選択して番組表を構成する。
【００４７】
例えば、３つのテレビ局が表示される番組表を５つのテレビ局が表示される番組表に変更するには、連続画面変更部１１８は番組表を３／５＝０．６倍に縮小する必要がある。このように、番組表に表示するテレビ局の数を３つ、５、７つ、または９のうちのいずれかから、別のテレビ局数に変更するために用いる拡縮率はあらかじめ計算により定めることができる。そこで、連続画面変更部１１８は、ピッチイン操作またはピッチアウト操作が終了したときは、離散画面変更部１１６が変更可能な画面とするための拡大率のうち、そのときの拡縮率と最も近い拡縮率で番組表を拡縮または縮小する。
【００４８】
ここで、ユーザがピンチイン操作をしている場合、ユーザは番組表を縮小することで表示するテレビ局の数を増加することを望むと考えられる。そこで連続画面変更部１１８は、ユーザがピッチイン操作を終了したときは、そのときの拡縮率以下であって、かつ離散画面変更部１１６が変更可能な画面とするための最大の拡縮率で番組表を拡縮または縮小する。同様に、ユーザがピンチアウト操作をしている場合、ユーザは番組表を拡大することで表示するテレビ局の数を減少する意図があると考えられる。そこで連続画面変更部１１８は、ユーザがピッチアウト操作を終了したときは、そのときの拡縮率以上であって、かつ前記離散画面変更部が変更可能な画面とするための最小の拡縮率で番組表を拡大または縮小する。これにより、最終的に表示される番組表は離散画面変更部１１６が変更可能な番組表と位置し、かつ、ユーザの意図を反映することが可能となる。
【００４９】
このように、連続画面変更部１１８は、タッチパネル５０が受け付けたタッチ操作の入力量に追従して連続的に電子機器１０の実行画面を変更する。このため、連続画面変更部１１８は、離散画面変更部１１６が番組表に表示するテレビ局の数を段階的に複数回変更することで到達する画面まで、一度のタッチ操作で変更自在である。これにより、操作ボタン２２とは異なり連続的な操作が可能なタッチパネル５０の特性を電子機器１０の実行画面の変更に反映することが可能となる。
【００５０】
あるいはまた、連続画面変更部１１８は、ユーザがピンチイン操作やピンチアウト操作をした場合に、その入力量にかかわらずレイアウトを段階的に変更してもよい。例えば図５（ａ）に示すようにテレビ局が５局表示されるレイアウトにおいて、ユーザが少しでもピンチアウト操作をした場合、図５（ｂ）に示すようなテレビ局が３局表示されるレイアウトに変更してもよい。
【００５１】
いずれにしても、ユーザがピンチイン操作またはピンチアウト操作をすることは、ユーザが番組表として表示させるチャンネル数を変更すること、すなわち番組表の内容を変更することを望んでいると考えられる。そこで連続画面変更部１１８は、ユーザがピンチイン操作やピンチアウト操作をすることを契機として、番組表に表示する表示内容を変更する。少なくともこの点において、ピンチイン操作またはピンチアウト操作を契機として連続画面変更部１１８が実行する番組表変更処理は、単純な拡縮処理とは異なる。
【００５２】
図６は、実施の形態に係る電子機器１０で実行される画像表示制御処理の流れを示すフローチャートである。本フローチャートにおける処理は、例えば電子機器１０の電源が投入されたときに開始する。
【００５３】
表示制御部１００は、ユーザによるインタフェース９０の操作ボタン２２またはタッチパネル５０の操作を検出する（Ｓ１０）。検出がない間（Ｓ１２のＮ）、表示制御部１００は、操作ボタン２２またはタッチパネル５０の操作の検出を継続する（Ｓ１０）。
【００５４】
操作ボタン２２またはタッチパネル５０の操作の検出を検出した場合（Ｓ１２のＹ）、表示制御部１００は操作の種類を取得する。操作の種類が操作ボタンの場合（Ｓ１４の操作ボタン）、離散画面変更部１１６は、電子機器１０の実行画面を段階的に変更する（Ｓ１６）。実行画面を変更すると、ステップＳ１０に戻って上記の処理を継続する。
【００５５】
操作の種類がタッチ操作の場合（Ｓ１４のタッチパネル）、連続画面変更部１１８は、タッチ操作に追従して、電子機器１０の実行画面を連続的に変更する（Ｓ１８）。ユーザによるタッチ操作が継続している間（Ｓ２０のＮ）、連続画面変更部１１８は、タッチ操作に追従して電子機器１０の実行画面を連続的に変更することを継続する。ユーザによるタッチ操作が終了した（Ｓ２０のＹ）、連続画面変更部１１８は、離散画面変更部１１６が段階的に変更可能な画面と一致するまで画面を変更する（Ｓ２２）。実行画面を変更すると、ステップＳ１０に戻って上記の処理を継続する。
【００５６】
［ボタン操作を契機とするＧＵＩとタッチ操作を契機とするＧＵＩ］
以上、操作ボタン２２のキー入力による段階的な操作で実行画面を変更する場合と、タッチパネル５０での連続的な操作で実行画面を変更する場合とで、同様の操作結果を実現する原理について説明した。上述したように、操作ボタン２２は、ボタンのオンまたはオフを入力とするインタフェースであり、二値の入力を基本とする。一方タッチパネル５０のタッチ操作は連続的な入力、およびタッチパネル５０上の任意の位置におけるタッチ操作が可能である。したがって、操作ボタン２２で操作することを前提としたＧＵＩ（Graphical User Interface）と、タッチパネル５０のタッチ操作を前提としたＧＵＩとでは、それぞれの操作に好適なＧＵＩを提供することが好ましい。そこで、以下操作ボタン２２による操作とタッチパネル５０での操作とで表示するＧＵＩについて説明する。
【００５７】
図７は、実施の形態に係る表示制御部１００が表示した録画番組のリストの一例を示す図である。図７に示す例では、録画番組Ａ、Ｂ、Ｃ、およびＤの４つの録画番組が図示されている。ユーザは、操作ボタン２２を操作することで、タッチパネル５０に表示されている録画番組を変更することができる。これは操作ボタン２２の操作を検出することを契機として、ボタン操作管理部１０２が録画番組を変更することで実現できる。ユーザはまた、タッチパネル５０をフリックないしスワイプすることで、タッチパネル５０に表示されている録画番組を変更することもできる。これはタッチパネル５０の操作を検出することを契機として、タッチ操作管理部１０４が録画番組を変更することで実現できる。このように、実施の形態に係る電子機器１０は、操作ボタン２２による操作でも、タッチパネル５０のタッチ操作であっても、同様に機能が実現できるように構成されている。
【００５８】
図８は、実施の形態に係るボタン操作管理部１０２が表示した操作メニューの一例を示す図である。ユーザは操作ボタン２２を操作してフォーカス領域を移動し、タッチパネル５０に表示された録画番組のリストの中から所望の録画番組をフォーカス状態にする。図８においては、フォーカス状態となっている録画番組は録画番組Ｃであり、斜線で示される太枠２１２で示されている。しかしながら、フォーカス状態の提示方法は図８に示す例に限られず、他の要素と識別可能な態様で示されていればどのような方法でもよい。
【００５９】
ユーザが所望の録画番組をフォーカス状態とした後に、決定を指示する操作ボタン２２（例えば○ボタン２２ｂ）を押下すして録画番組を選択する。ボタン操作管理部１０２は、操作ボタン２２による操作を契機として、操作ボタン２２による操作を前提とする操作メニューを表示する。図８においては、タッチパネル５０の右端に半円状に配置された円形アイコン２１４ａ〜２１４ｇの集合が、ボタン操作管理部１０２が表示した操作メニューである。操作メニューに含まれる各アイコンは、電子機器１０のそれぞれ異なる操作に対応している。図８においては、フォーカス状態であるか否かをアイコンの大きさで表現している。より具体的には、フォーカス状態であるアイコン２１４ｄは、フォーカス状態ではないアイコンよりも大きなアイコンで示されている。
【００６０】
ユーザは操作ボタン２２を操作することでフォーカス状態となっているアイコンを変更することができ、決定を指示する操作ボタン２２を押下することでそのアイコンを選択することができる。これはボタン操作管理部１０２が、操作ボタン２２によるキー入力を契機として、タッチパネル５０上に表示する選択肢であるアイコンの配置を変更することで実現できる。選択されたアイコンに関連づけられた操作は、操作処理部１１４が実行する。
【００６１】
このように、操作ボタン２２による操作を契機としてボタン操作管理部１０２が表示する操作メニューは、操作ボタン２２による操作を前提として構成されている。すなわち、フォーカス状態であるアイコンの変更や選択したアイコンの決定等の一連の操作を、操作ボタン２２で操作しやすいように設計されている。
【００６２】
ここで、ユーザはタッチパネル５０をフリックないしスワイプすることで、操作メニューである円形アイコン２１４ａ〜２１４ｇの配置を変更することもできる。例えば図８においてユーザがフォーカス状態であるアイコン２１４ｄの左近辺をタッチパネル５０の上部に向けてスワップすると、円形アイコン２１４ａ〜２１４ｇの配置は時計回りに回転する。これにより、ユーザは操作ボタン２２を操作しなくても、操作メニューの配置を変更して表示されていないアイコンを表示させることができる。また、ユーザはタッチパネル５０上に表示されたアイコンを直接タップすることで、そのアイコンがフォーカス状態でない場合であってもアイコンの選択および決定を一度の動作で終了することができる。これはタッチ操作管理部１０４がタッチパネル５０におけるタップ位置を取得し、その位置のアイコンに対応づけられた操作を操作処理部１１４に実行させることで実現できる。
【００６３】
図９は、実施の形態に係るタッチ操作管理部１０４が表示した操作メニューの一例を示す図である。ユーザはタッチパネル５０に表示された録画番組のリストの中から所望の録画番組を直接タップすることで、その録画番組を選択する。図９においては、選択された録画番組は録画番組Ｃであり、斜線で示される太枠２１６で示されている。
【００６４】
タッチ操作管理部１０４は、録画番組のリストの中からタッチ操作によって録画番組が選択されることを契機として、タッチパネル５０のタッチ操作を前提とする操作メニューを表示する。すなわち、タッチ操作管理部１０４は、タッチパネル５０上に表示された録画番組リスト中の各録画番組の表示位置と、決定を指示する操作ボタン２２（例えば○ボタン２２ｂ）とを対応付け、各録画番組の表示位置のタッチ操作があった場合にその操作ボタン２２の操作に対応するメニューの表示や操作を実行する。
【００６５】
ここでタッチ操作管理部１０４は、録画番組のリストの中からタッチ操作によって録画番組が選択されることを契機として、タッチパネル５０上に決定を指示する操作ボタン２２を示すアイコンを表示してもよい。これにより、操作ボタン２２による操作に慣れたユーザに対して、どの操作が実行されるかを示すことが可能となる。
【００６６】
図９においては、タッチパネル５０の右端にリスト状に配置された矩形アイコンおよび文字列２１８ａ〜２１８ｅの集合が、操作メニューである。操作メニューに含まれる各アイコンおよび文字列２１８ａ〜２１８ｅは、電子機器１０のそれぞれ異なる操作に対応している。ユーザはタッチ操作管理部１０４がタッチパネル５０に表示した操作メニューに含まれる各アイコンおよび文字列２１８ａ〜２１８ｅを直接タップすることで、そのアイコンに対応づけられた操作を実行することができる。
【００６７】
このように、タッチパネル５０のタッチ操作を契機としてタッチ操作管理部１０４が表示する操作メニューは、タッチ操作による操作を前提として構成されている。ユーザはタッチパネルの任意の位置をタッチ操作することができるので、タッチ操作管理部１０４は、選択可能な一以上の選択肢であるアイコンおよび文字列をタッチパネル５０上に分散して表示する。ユーザは複数の選択肢を一見して把握することができ、また一度のタッチ操作で複数の選択肢の中からひとつの選択肢を選択することができる。
【００６８】
ここでタッチ操作管理部１０４がタッチ操作による操作を前提として構成された操作メニューをタッチパネル５０に表示している際に、ユーザが操作ボタン２２のいずれかのボタンを操作したとする。このときボタン操作管理部１０２は、操作ボタン２２の操作の検出を契機として、タッチ操作による操作を前提として構成された操作メニュー上にフォーカル領域を表示するようにしてもよい。図９においては、ボタン操作管理部１０２が表示したフォーカル領域は、斜線で示される太枠２２０で示されている。ひとたびフォーカス領域が表示されると、ユーザは操作ボタン２２を操作することでフォーカス状態となっているアイコンを変更することができ、決定を指示する操作ボタン２２を押下することでそのアイコンを選択することができる。これはボタン操作管理部１０２が、操作ボタン２２によるキー入力を契機として、タッチパネル５０上に表示する選択肢であるアイコンの配置を変更することで実現できる。
【００６９】
図８および図９を用いて例示するように、操作ボタン２２による操作を契機としてボタン操作管理部１０２が表示する操作メニューと、タッチパネル５０のタッチ操作を契機としてタッチ操作管理部１０４が表示する操作メニューとは、少なくともひとつの共通する選択肢を含む。しかしながら、ボタン操作管理部１０２が表示する操作メニューとタッチ操作管理部１０４が表示する操作メニューとは、互いに異なるレイアウトを用いて共通する選択肢が配置される。これにより、操作の種類に応じた好適なレイアウトで電子機器１０の操作メニューを表示することができる。
【００７０】
一方で、本実施の形態に係る電子機器１０は、操作ボタン２２による操作とタッチパネル５０のタッチ操作とにかかわらず、同様の操作が実現できるように構成されている。したがって、操作ボタン２２による操作を契機として呼び出された操作メニューであっても、タッチパネル５０上に表示されたアイコンをタップすることで、そのアイコンに連づけられた操作を実行することができる。同様に、タッチパネル５０のタッチ操作を契機として呼び出された操作メニューであっても、操作ボタン２２を操作することでフォーカス領域を移動して選択することができる。
【００７１】
図１０は、実施の形態に係る電子機器１０で実行されるメニュー表示処理の流れを示すフローチャートである。本フローチャートにおける処理は、例えば電子機器１０の電源が投入されたときに開始する。
【００７２】
表示制御部１００は、ユーザによるインタフェース９０の操作ボタン２２またはタッチパネル５０の操作を検出する（Ｓ３０）。検出がない間（Ｓ３２のＮ）、表示制御部１００は、操作ボタン２２またはタッチパネル５０の操作の検出を継続する。
【００７３】
操作ボタン２２またはタッチパネル５０の操作の検出を検出した場合（Ｓ３２のＹ）、表示制御部１００は操作の種類を取得する。操作の種類が操作ボタンの場合（Ｓ３４の操作ボタン）、ボタン操作管理部１０２は、タッチパネル５０上にボタン操作を契機とする操作メニューを表示する（Ｓ３６）。操作の種類がタッチ操作の場合（Ｓ３４のタッチパネル）、タッチ操作管理部１０４は、タッチパネル５０上にタッチ操作を契機とする操作メニューを表示する（Ｓ３８）。操作処理部１１４は、選択された操作メニューに対応する操作を実行する（Ｓ４０）。操作処理部１１４が操作を実行すると、ステップＳ３０に戻って上記の処理を継続する。
【００７４】
図１１は、実施の形態に係るボタン操作管理部１０２で実行されるメニュー表示処理の流れを示すフローチャートであり、図１０におけるステップＳ３６を詳細に説明する図である。
【００７５】
ボタン操作管理部１０２は、ユーザが押下した操作ボタン２２の種類を取得する（Ｓ５０）。ボタン操作管理部１０２は、取得した操作ボタン２２の種類に応じた操作メニューをタッチパネル５０上に表示する（Ｓ５２）。あらかじめ異なる操作ボタン２２にことなる操作メニューを対応づけておくことで、種々の操作メニューを１回の押下動作で表示することが可能となる。
【００７６】
表示制御部１００は、ユーザによるインタフェース９０の操作ボタン２２またはタッチパネル５０の操作を検出する（Ｓ５４）。検出がない間（Ｓ５６のＮ）、表示制御部１００は、ステップＳ５４に戻って操作ボタン２２またはタッチパネル５０の操作の検出を継続する。
【００７７】
操作ボタン２２またはタッチパネル５０の操作の検出を検出した場合（Ｓ５６のＹ）、表示制御部１００は操作の種類を取得する。操作の種類が操作ボタンの場合（Ｓ５８の操作ボタン）、ボタン操作管理部１０２は、タッチパネル５０上に表示された選択肢であるアイコンの配置を変更する（Ｓ６０）。操作の種類がタッチ操作の場合（Ｓ５８のタッチパネル）、タッチ操作管理部１０４は、タッチパネル５０上におけるタッチ位置を取得する（Ｓ６２）。タッチ位置に表示されているアイコンに対応づけられた操作が、ユーザが選択する操作となる。
【００７８】
図１２は、実施の形態に係るタッチ操作管理部１０４で実行されるメニュー表示処理の流れを示すフローチャートであり、図１０におけるステップＳ３８を詳細に説明する図である。
【００７９】
タッチ操作管理部１０４は、タッチパネル５０上でユーザがタッチされた位置を取得する（Ｓ７０）。タッチ操作管理部１０４は、タッチされた位置に対応する操作ボタン２２を示すアイコンを捧持する（Ｓ７２）。タッチ操作管理部１０４はまた、そのタッチ操作を契機とする操作メニューを表示する（Ｓ７４）。
【００８０】
表示制御部１００は、ユーザによるインタフェース９０の操作ボタン２２またはタッチパネル５０の操作を検出する（Ｓ７６）。検出がない間（Ｓ７８のＮ）、表示制御部１００は、ステップＳ７６に戻って操作ボタン２２またはタッチパネル５０の操作の検出を継続する。
【００８１】
操作ボタン２２またはタッチパネル５０の操作の検出を検出した場合（Ｓ７８のＹ）、表示制御部１００は操作の種類を取得する。操作の種類が操作ボタンの場合（Ｓ８０の操作ボタン）、ボタン操作管理部１０２は、タッチパネル５０上にフォーカス領域を表示するか、あるいは既にフォーカス領域が表示されている場合にはそのフォーカル位置を変更する（Ｓ８２）。操作の種類がタッチ操作の場合（Ｓ８０のタッチパネル）、タッチ操作管理部１０４はタッチパネル５０上におけるタッチ位置を取得する（Ｓ８０）。タッチ位置に表示されているアイコンに対応づけられた操作が、ユーザが選択する操作となる。
【００８２】
［タッチ操作のためのＧＵＩ］
以上、操作ボタン２２による操作とタッチパネル５０での操作とで表示するＧＵＩについて説明した。次に、タッチパネル５０におけるタッチ操作に特有のＧＵＩについて説明する。
【００８３】
図１３は、実施の形態に係る電子機器１０が表示するＧＵＩの一例を示す図である。図１３に示す例は、図７に示す録画番組のリストにおいてユーザが録画番組Ｏを削除する操作をしたときに、ボタン操作管理部１０２またはタッチ操作管理部１０４がタッチパネル５０に表示する確認画面を示す図である。削除の有無の確認するための画面２００は、削除操作をキャンセルするための「いいえ」アイコン２０４ａと、削除操作を実行するための「はい」アイコン２０４ｂとを含む。ユーザはこれらのアイコンをタップすることで、削除操作を最終的に実行したり、キャンセルしたりすることができる。なお、録画番組の削除はユーザからの指示を受けて操作処理部１１４が実行する。
【００８４】
図１３に示す例では、タッチパネル５０において削除の有無の確認するための画面２００以外の部分は、斜線領域２０２で示されている。ユーザは「いいえ」アイコン２０４ａをタップする操作の他に、斜線領域２０２をタップしても削除操作をキャンセルすることができる。ここで、削除の有無の確認するための画面２００はユーザに確認を促すためのＧＵＩであるため、いわばアクティブとなっている領域である。これに対し、斜線領域２０２は非アクティブ領域である。実施の形態に係る電子機器１０においては、タッチパネル５０に表示されるアクティブ領域以外の非アクティブ領域は、アクティブ領域に対応づけられた操作をキャンセルするためのキャンセル領域として利用される。
【００８５】
図１３に示す例では非アクティブ領域を斜線領域２０２で示しているが、非アクティブ領域の表示対応は斜線に限られない。この他にも、例えば非アクティブ領域は背景に対してローパスフィルタ処理をしてぼかす、輝度を下げる、色相を回転させる、グレー化する、背景に動きがある場合にはその動きを停止するなど、アクティブ領域との判別が可能な態様であればどのような表示態様でもよい。アクティブ領域以外の非アクティブ領域をキャンセル領域として利用することで、ユーザは操作の取り消しが容易となる。
【００８６】
図１４は、実施の形態に係る電子機器１０が表示するＧＵＩの別の例を示す図である。図１４に示す例では、他の文字キーと一緒に押し下げることで入力される文字あるいは信号を切り替えるいわゆる「シフトキー」と同様の機能を持つシフトキーアイコン２０６と、△ボタン２２ａと同様の機能を持つ△ボタンアイコン２０８と、ユーザからの入力を求める際に表示するアイコン２１０が表示されている。図１４に示す例では、アイコン２１０は電子機器１０が外部のネットワークから切断されていることを示すとともに、外部のネットワークとの再接続を試みるためのネットワーク再接続アイコンである。
【００８７】
上述したように、本実施の形態に係る電子機器１０は、操作ボタン２２による操作とタッチパネル５０のタッチ操作とにかかわらず、同様の操作が実現できるように構成されている。そのため、例えばＬボタン２６ａを押下しながら□ボタン２２ｄを押下するといったボタン操作を、タッチパネル５０のタッチ操作で同様の機能を実現することが求められる。そのため、電子機器１０はタッチパネル５０上にシフトキーアイコン２０６を表示する。
【００８８】
シフトキーアイコン２０６は、異なるキーを同時に押すことをタッチ操作で実現するために、シフトキーをエミュレートするアイコンである。シフトキーアイコン２０６は長押しされること、いわゆる「プレス」ないし「ホールド」されることが通常であり、また他のアイコンと同時の押されるため表示エリアも他のアイコンと比較して大きめである。
【００８９】
ここでシフトキーアイコン２０６は、他のアイコンまたは他の操作ボタン２２と同時に押されることで他のアイコンまたは他の操作ボタン２２に割り当てられる操作を変更する機能があるため、誤操作がされにくい位置に配置されることが好ましい。図１４に示す例においては、タッチパネル５０の上部右端にシフトキーアイコン２０６が配置されている。一方、誤操作がされにくい位置には既に他の機能が割り当てられたアイコンが配置される場合もある。例えば図１４においては、上述したネットワーク再接続アイコン２１０は、シフトキーアイコン２０６と一部が重なるほど近接する位置に配置されている。
【００９０】
またシフトキーアイコン２０６は、ユーザがタッチパネル５０上においてプレスないしホールドすることでシフトキーのと同等の機能を持たせる領域、すなわちシフト操作実行領域を示すアイコンであるから、少なくともシフト操作実行領域の一部を含む領域に表示されることが好ましい。
【００９１】
ネットワーク再接続アイコン２１０は、電子機器１０が外部のネットワークから切断されている場合に表示され、ユーザがタップすることでネットワークの再接続を試みる機能を持つ。このため、シフトキーアイコン２０６がユーザのタッチ操作があればいつでも表示されるのに対し、ネットワーク再接続アイコン２１０はユーザからの入力が求められるときだけ表示される点で異なる。
【００９２】
ネットワーク再接続アイコン２１０はユーザからのタップ入力を受け付けるため、タッチパネル５０上においてネットワーク再接続アイコン２１０とシフトキーアイコン２０６とが重なる領域をユーザがタッチ操作した場合に、その操作が比較的短時間のタッチである「タップ操作」か、タップ操作よりも長時間タッチされる「プレス操作」かを判別する必要がある。そこで表示制御部１００内の図示しない記憶部には、ユーザのタッチ操作がタップ操作かプレス操作かを決定するために定められた「タップ受付時間」が設定されている。この意味で、「タップ受付時間」はシフトキーアイコン２０６を有効化するか否かの判断に用いられる「シフトキー有効基準時間」として機能する。
【００９３】
タッチ操作管理部１０４は、ユーザがタッチパネル５０にタッチしている時間がタップ受付時間以下であればタップ操作と判別し、タップ受付時間よりも長い場合プレス操作と判断する。「タップ受付時間」の具体的な長さはタッチパネル５０の応答速度等を考慮して実験により定めればよいが、例えば０．２秒である。これにより、表示領域であり、かつ操作領域でもあるタッチパネル５０を有効に利用することができる。
【００９４】
ここでタッチ操作管理部１０４は、タッチパネル５０上でシフトキーアイコン２０６が配置される領域をユーザがタッチしたときに、タッチの時間がタップ受付時間以下の場合であってもシフトキーアイコン２０６を表示するようにしてもよい。この場合、タッチの時間がタップ受付時間よりも長くなる前は、仮にシフトキーアイコン２０６が表示されていてもシフトキーとしての機能は有効化されず、タップ受付時間を超えてからシフトキーとしての機能が有効となる。タッチパネル５０上の所定の位置を触れることですぐにシフトキーアイコン２０６が表示されるため、シフトキーアイコン２０６の表示位置を探すことが容易となる。また、シフトキーアイコン２０６が表示されていてもシフトキーとしての機能は有効化されないので、誤操作を抑制することもできる。
【００９５】
上述したように、シフトキーアイコン２０６は他のアイコンと同時に押されることが前提とされている。この場合、ユーザはタッチパネル５０上のシフトキーアイコン２０６の表示位置に触れつつ、かつ他の位置に表示されたアイコンに触れることになる。このため、シフトキーアイコン２０６に触れた状態で、触れている位置がずれる場合もある。そこで表示制御部１００内の図示しない記憶部には、ユーザのタッチ操作がシフトキーのプレス操作かドラッグ操作かを決定するために定められた「プレス受付距離」が設定されている。
【００９６】
タッチ操作管理部１０４は、ユーザがタッチパネル５０にタッチしつつ移動した距離がプレス受付距離以下であればプレス操作と判別し、プレス受付距離よりも長い場合ドラッグ操作と判断する。「プレス受付距離」の具体的な長さはタッチパネル５０に表示するアイコンの配置等を考慮して実験により定めればよいが、例えばタッチパネル５０の幅方向の画素数の５％分の画素数に相当する距離である。これにより、ドラッグ操作とシフトキーをエミュレートとの併用時の誤操作を低減することができる。
【００９７】
なお、シフトキーアイコン２０６以外にもプレス操作とドラッグ操作とが区別されるべきアイコンが存在する場合には、プレス受付距離はシフトキーアイコン２０６以外のアイコンに適用してもよい。この場合、タッチパネル５０におけるユーザのタッチ操作がタップ受付時間よりも短い時間の操作に応答するアイコンをタップ受付アイコンと呼び、タッチ操作の継続時間がタップ受付時間以上の時間の操作に応答するアイコンをプレス受付アイコンと呼ぶこととする。上述したネットワーク再接続アイコン２１０はタップ受付アイコンの例であり、シフトキーアイコン２０６はプレス受付アイコンの例である。これらのアイコンは、タッチ操作管理部１０４がタッチパネル５０上に表示する。
【００９８】
図１４に示すように、タッチパネル５０の下部右端の領域に、△ボタン２２ａと同様の機能を持つ△ボタンアイコン２０８が配置されている。ユーザが△ボタンアイコン２０８が配置される領域をタッチすると、タッチ操作管理部１０４は、タッチパネル５０上において△ボタン２２ａを示す△ボタンアイコン２０８を表示する。ユーザのタッチ時間がタップ待ち受け時間以内にタッチ操作を終了すると、タッチ操作管理部１０４は、△ボタン２２ａが押下されたときに実行される操作と同様の操作を操作処理部１１４に実行させる。
【００９９】
このように、タッチパネル５０上において操作ボタン２２と対応づけた所定の位置のタッチ操作があった場合、対応する操作ボタン２２を示すアイコンを表示することにより、ユーザはどの操作を実行したかを確認することができる。もちろん、タッチパネル５０上に対応づける操作ボタン２２は△ボタン２２ａに限られず、異なる位置に複数の操作ボタン２２を対応づけてもよい。
【０１００】
以上説明したように、実施の形態に係る電子機器１０によれば、操作ボタン２２による操作とタッチパネル５０による操作との併存時におけるユーザインタフェースの改善技術を提供することができる。
【０１０１】
以上、本発明を実施の形態をもとに説明した。この実施の形態は例示であり、それらの各構成要素や各処理プロセスの組み合わせにいろいろな変形例が可能なこと、またそうした変形例も本発明の範囲にあることは当業者に理解されるところである。
【０１０２】
上記の説明では、電子機器１０の実行画面の例として図５（ａ）−（ｃ）に示すような番組表を例に説明した。画像処理部１１２が処理する実行画面は番組表のような表形式の画面に限られない。この他にも、例えば静止画や動画の拡大や縮小に適用してもよいし、ゲームのコンテンツにおける操作対象のキャラクタの操作に適用してもよい。後者の場合、離散画面変更部１１６は、操作ボタン２２が受け付けたキー入力毎に、操作対象のキャラクタの表示位置を段階的に変更する。連続画面変更部１１８は、タッチパネル５０が受け付けたタッチ操作の入力量に追従して操作対象のキャラクタの表示位置を連続的に変更するが、タッチ操作が終了したときに表示する操作対象のキャラクタの位置は、離散画面変更部１１６が変更可能な位置と一致する。
【０１０３】
上記の説明では、電子機器１０の実行画面の例として図５（ａ）−（ｃ）に示すような番組表を例に説明した。図５（ａ）−（ｃ）は、横軸をテレビ局、縦軸を放送時間帯として、各テレビ局の各時間帯における番組を配置した番組表を例示した図である。このとき、ユーザがタッチパネル５０に表示された番組表におけるテレビ局をタップすることで、タッチ操作管理部１０４がそのテレビ局の週間番組表に変更するようにしてもよい。具体的には、例えばユーザが図５（ａ）における「テレビＸ」をタップすると、横軸を１週間分の曜日、縦軸を時間帯とするテレビＸ局の週間番組表が表示される。これは、タッチ操作管理部１０４がタッチパネル５０のタッチ操作を検出し、処理部１１０が番組表の変更処理を実行することで実現できる。また、テレビＸ局の週間番組表が表示されているときに、ユーザがある曜日をタップすると、図５に示すようにタップされた曜日における各局の番組表に戻る。
【０１０４】
このように、タッチパネル５０に選択肢を表形式で表示する場合において、表中のいずれかの選択肢をタッチパネル５０で選択することにより、選択肢に関連づけられた操作を実行してもよい。これにより、ユーザは複数の選択肢の中からひとつの選択肢を選択することを一度の操作で実現することができる。操作ボタン２２での操作と比較して操作回数を減少することができ、ユーザビリティを向上させることができる。
【０１０５】
上記の説明では、電子機器１０の実行画面を表示する表示デバイスが、タッチパネル５０である場合を主に説明した。しかしながら、電子機器１０の実行画面を表示する表示デバイスはタッチパネル５０には限られず、例えば外付けのモニタ等であってもよい。この場合、タッチパネル５０はいわゆるタッチパッドと同様の機能を持つ。タッチ操作管理部１０４は、タッチパネル５０の操作領域と表示デバイスの表示領域とを対応付け、ユーザがタッチパネル５０上で操作をすることを契機として、表示デバイスの表示を変更することで実現できる。
【０１０６】
なお、本実施の形態に係る発明は、以下に記載する項目によって特定されてもよい。
【０１０７】
（項目１−１）
電子機器であって、
キー入力によって前記電子機器の操作をする操作ボタンと、
前記電子機器の表示領域であるとともに、タッチ操作によって前記電子機器の操作をするタッチパネルと、
前記操作ボタンまたは前記タッチパネルによる操作の少なくともいずれか一方の操作をもとに、前記電子機器の実行画面を変更して表示する画像処理部とを備え、
前記画像処理部は、
前記操作ボタンが受け付けたキー入力毎に、前記電子機器の実行画面を段階的に変更する離散画面変更部と、
前記タッチパネルが受け付けたタッチ操作の入力量に応じて、前記電子機器の実行画面を連続的に変更する連続画面変更部とを備え、
前記連続画面変更部は、タッチ操作が終了したときに、前記離散画面変更部が段階的に変更可能な画面と一致するまで画面を変更することを特徴とする電子機器。
（項目１−２）
前記連続画面変更部は、前記離散画面変更部が前記電子機器の実行画面を段階的に複数回変更することで表示する画面まで、一度のタッチ操作で変更自在に構成されていることを特徴とする項目１−１に記載の電子機器。
（項目１−３）
前記離散画面変更部は、前記操作ボタンがキー入力を受け付ける毎に、あらかじめ定められた複数の拡縮率の中からひとつの拡縮率を段階的に選択し、選択した拡縮率で前記電子機器の実行画面を拡大または縮小し、
前記連続画面変更部は、ピッチイン操作およびピッチアウト操作を受け付け、前記タッチパネルにおける指と指との間隔の変化率を前記電子機器の実行画面の拡縮率として前記電子機器の実行画面を拡大または縮小することを特徴とする項目１−１または項目１−２に記載の電子機器。
（項目１−４）
前記連続画面変更部は、
ピッチイン操作が終了したときは、そのときの拡縮率以下であって、かつ前記離散画面変更部が変更可能な画面とするための最大の拡縮率で前記電子機器の実行画面を拡大または縮小し、
ピッチアウト操作が終了したときは、そのときの拡縮率以上であって、かつ前記離散画面変更部が変更可能な画面とするための最小の拡縮率で前記電子機器の実行画面を拡大または縮小することを特徴とする項目１−１から項目１−３のいずれかに記載の電子機器。
（項目１−５）
前記連続画面変更部は、ピッチイン操作またはピッチアウト操作が終了したときは、前記離散画面変更部が変更可能な画面とするための拡縮率のうち、そのときの拡縮率と最も近い拡縮率で前記電子機器の実行画面を拡縮または縮小することを特徴とする項目１−１から項目１−３のいずれかに記載の電子機器。
（項目１−６）
電子機器のプロセッサに実行させる画像表示制御方法であって、
前記電子機器の操作ボタンのキー入力によるアプリケーションの操作を受け付けるステップと、
前記電子機器の実行画面を表示するタッチパネルのタッチ操作による前記アプリケーションの操作を受け付けるステップと、
前記操作ボタンまたは前記タッチパネルによる操作の少なくともいずれか一方の操作をもとに、前記電子機器の実行画面を変更するステップとを含み、
前記実行画面を変更するステップは、
操作ボタンのキー入力による操作を受け付けた場合、操作ボタンのキー入力j毎に、前記電子機器の実行画面を段階的に変更し、
タッチパネルのタッチ操作を受け付けた場合、受け付けたタッチ操作の入力量に応じて、前記電子機器の実行画面を連続的に変更するとともに、タッチ操作が終了したときには、操作ボタンのキー入力による操作を受け付けた場合に実行画面を段階的に変更することで表示可能な画面と一致するまで画面を変更することを特徴とする画像表示制御方法。
（項目１−７）
電子機器に画像表示制御機能を実現させるプログラムであって、当該機能は、
前記電子機器の操作ボタンのキー入力によるアプリケーションの操作を受け付ける機能と、
前記電子機器の実行画面を表示するタッチパネルのタッチ操作による前記電子機器の操作を受け付ける機能と、
前記操作ボタンまたは前記タッチパネルによる操作の少なくともいずれか一方の操作をもとに、前記電子機器の実行画面を変更する機能とを含み、
前記実行画面を変更する機能は、
操作ボタンのキー入力による操作を受け付けた場合、操作ボタンのキー入力毎に、前記電子機器の実行画面を段階的に変更し、
タッチパネルのタッチ操作を受け付けた場合、受け付けたタッチ操作の入力量に応じて、前記電子機器の実行画面を連続的に変更するとともに、タッチ操作が終了したときには、操作ボタンのキー入力による操作を受け付けた場合に実行画面を段階的に変更することで表示可能な画面と一致するまで画面を変更することを特徴とするプログラム。
（項目１−８）
項目１−７に記載のプログラムを格納したコンピュータ読み出し可能な記録媒体
【０１０８】
（項目２−１）
電子機器であって、
キー入力によって前記電子機器の操作をする操作ボタンと、
タッチ操作によって前記電子機器の操作をするタッチパネルと、
前記操作ボタンまたは前記タッチパネルによる操作の少なくともいずれか一方の操作を契機として、表示デバイス上に前記電子機器の操作に関する少なくともひとつの選択肢を含むメニューを表示する表示制御部とを備え、
前記表示制御部は、
前記操作ボタンによる操作を契機として表示するメニューと前記タッチパネルによる操作を契機として表示するメニューを、少なくともひとつの共通する選択肢を含めて表示し、かつ、互いに異なるレイアウトで当該共通する選択肢を配置して表示することを特徴とする電子機器。
（項目２−２）
前記表示制御部は、
前記操作ボタンによる操作を契機として前記メニューを表示するボタン操作管理部と、
前記タッチパネルによる操作を契機として前記メニューを表示するタッチ操作管理部とを備えることを特徴とする項目２−１に記載の電子機器。
（項目２−３）
前記ボタン操作管理部は、前記操作ボタンによるキー入力を契機として、前記表示デバイス上に表示する選択肢の配置を変更することを特徴とする項目２−２に記載の電子機器。
（項目２−４）
前記タッチ操作管理部は、選択可能な一以上の選択肢を前記表示デバイス上に分散して表示することを特徴とする項目２−２または項目２−３に記載の電子機器。
（項目２−５）
前記タッチ操作管理部は、前記タッチパネル上において前記操作ボタンを対応づけた所定の位置のタッチ操作があった場合、対応する操作ボタンを示すアイコンを前記表示デバイス上に表示することを特徴とする項目２−２から項目２−４のいずれかに記載の電子機器。
（項目２−６）
前記選択肢に関連づけられた前記電子機器の操作を実行する操作処理部をさらに含み、
前記タッチ操作管理部は、前記操作ボタンによる操作を契機として前記ボタン操作管理部が表示した選択肢のタッチ操作があった場合、当該選択肢に関連づけられた前記電子機器の操作を前記操作処理部に実行させることを特徴とする項目２−２から項目２−５のいずれかに記載の電子機器。
（項目２−７）
電子機器のプロセッサに実行させるメニュー表示方法であって、
キー入力によって前記電子機器の操作をする操作ボタンの操作を契機として、表示デバイス上に前記電子機器の操作に関する少なくともひとつの選択肢を含むメニューを表示するステップと、
タッチ操作によって前記電子機器の操作をするタッチパネルによる操作を契機として、前記表示デバイス上に前記電子機器の操作に関する少なくともひとつの選択肢を含むメニューを表示するステップとを含み、
前記操作ボタンの操作を契機として表示されるメニューと前記タッチ操作を契機として表示されるメニューとは少なくともひとつの共通する選択肢を含み、かつ、互いに異なるレイアウトで当該共通する選択肢が配置されることを特徴とするメニュー表示方法。
（項目２−８）
電子機器にメニュー表示機能を実現させるプログラムであって、当該機能は、
キー入力によって前記電子機器の操作をする操作ボタンの操作を契機として、表示デバイス上に前記電子機器の操作に関する少なくともひとつの選択肢を含むメニューを表示する機能と、
タッチ操作によって前記電子機器の操作をするタッチパネルによる操作を契機として、前記表示デバイス上に前記電子機器の操作に関する少なくともひとつの選択肢を含むメニューを表示する機能とを含み、
前記操作ボタンの操作を契機として表示されるメニューと前記タッチ操作を契機として表示されるメニューとは少なくともひとつの共通する選択肢を含み、かつ、互いに異なるレイアウトで当該共通する選択肢が配置されることを特徴とするプログラム。
（項目２−９）
項目２−８に記載のプログラムを格納したコンピュータ読み出し可能な記録媒体。
（項目２−１０）
電子機器であって、
キー入力によって前記電子機器の操作をする操作ボタンと、
タッチ操作によって前記電子機器の操作をするタッチパネルと、
前記タッチパネルにおけるタッチ操作の継続時間がタップ操作かプレス操作かを決定するために定められたタップ受付時間よりも短い時間の操作に応答するタップ受付アイコンと、タッチ操作の継続時間が前記タップ受付時間以上の時間の操作に応答するプレス受付アイコンとを、少なくともアイコンの一部を重ねて表示デバイスに表示する表示制御部とを備えることを特徴とする電子機器。
【符号の説明】
【０１０９】
４  携帯電話網、  １０  電子機器、  ２０  表示装置、  ２１  前面タッチパッド、  ２２  以下操作ボタン、  ２２  場合操作ボタン、  ２２  操作ボタン、  ２３  方向キー、  ２４  アナログスティック、  ２５  スピーカ、  ２７  ＨＯＭＥボタン、  ２８  ＳＴＡＲＴボタン、  ２９  ＳＥＬＥＣＴボタン、  ３０  前面カメラ、  ３１  背面カメラ、  ３２  背面タッチパッド、  ３３  電源ボタン、  ３４  ゲームカードスロット、  ３５  アクセサリ端子、  ３７  メモリカードスロット、  ３８  音声入出力端子、  ３９  マイク、  ４０  マルチユース端子、  ４１  ＳＩＭカードスロット、  ５０  タッチパネル、  ５０  一方タッチパネル、  ６０  ＣＰＵ、  ６４  メインメモリ、  ６６  ストレージ、  ６７  モーションセンサ、  ６８  地磁気センサ、  ６９  ＧＰＳ制御部、  ７０  操作部、  ７１  無線通信モジュール、  ７２  携帯電話モジュール、  ７４  ＳＩＭカード、  ７６  ゲームカード、  ７８  メモリカード、  ８０  ＵＳＢケーブル、  ９０  インタフェース、  ９２  バス、  １００  表示制御部、  １０２  ボタン操作管理部、  １０４  タッチ操作管理部、  １１０  処理部、  １１２  画像処理部、  １１４  操作処理部、  １１６  離散画面変更部、  １１８  連続画面変更部、  １２０  出力部、  ２０６  シフトキーアイコン、  ２０８  △ボタンアイコン、  ２１０  ネットワーク再接続アイコン。
【図１】
2014115845.tif 000003
【図２】
2014115845.tif 000004
【図３】
2014115845.tif 000005
【図４】
2014115845.tif 000006
【図５】
2014115845.tif 000007
【図６】
2014115845.tif 000008
【図７】
2014115845.tif 000009
【図８】
2014115845.tif 000010
【図９】
2014115845.tif 000011
【図１０】
2014115845.tif 000012
【図１１】
2014115845.tif 000013
【図１２】
2014115845.tif 000014
【図１３】
2014115845.tif 000015
【図１４】
2014115845.tif 000016